(57)【要約】【課題】本発明は、画面自体を消灯することなく消費電力を低減することができるとともに電源の切り忘れを防止し、操作者が操作しやすい映像表示装置を提供することを目的とするものである。【解決手段】映像情報の記録されていない音楽ＣＤが再生されているかチェックして（Ｓ１００）、音楽ＣＤの場合に省エネ設定されている場合は表示画面の発光輝度を下げて画面を消灯することなく暗くした待機状態とする。また、所定時間内にキー入力があった場合には待機状態とはせず（Ｓ１０３）、待機状態に設定した場合にもキー入力があった場合には通常状態に戻すようにする（Ｓ１０７）。さらに、待機状態でＣＤの再生が終了した場合には自動的に電源をオフ状態とする（Ｓ１０９）。【選択図】図３
2005084215.tif 000002
【特許請求の範囲】
【請求項１】
複数種類の記録ディスクを読取可能な読取部と、前記読取部で読み取られた情報を再生する再生部と、映像を表示する表示部と、前記再生部で再生された情報を前記表示部に表示するように制御する制御部とを備えた映像表示装置において、前記制御部は、記録ディスクの種類を識別するディスク識別手段と、前記表示部の発光輝度の減少割合に関する設定データを記憶する記憶手段と、ディスク識別手段が特定の記録ディスクを識別した場合に前記記憶手段から前記設定データを読み出して前記表示部の発光輝度を通常状態よりも減少した待機状態に設定する表示制御手段とを備えていることを特徴とする映像表示装置。
【請求項２】
前記制御部は、任意のキーが操作されたことを検知する検知手段を備え、前記表示制御手段は、前記表示部の発光輝度を待機状態に設定した後に前記検知手段が検知出力した場合に前記表示部の発光輝度を前記通常状態に戻すように制御することを特徴とする請求項１に記載の映像表示装置。
【請求項３】
前記表示制御手段は、前記再生部の再生開始時から所定時間内に前記検知手段が検知出力しない場合に前記表示部の発光輝度を前記待機状態に設定するように制御することを特徴とする請求項２に記載の映像表示装置。
【請求項４】
前記制御部は、前記再生部の再生終了時に前記表示部の発光輝度が待機状態である場合に装置全体の電源をオフ状態にする電源制御手段を備えていることを特徴とする請求項１から３のいずれかに記載の映像表示装置。
【請求項５】
前記設定データは、操作者が任意のデータを入力して設定されることを特徴とする請求項１から４のいずれかに記載の映像表示装置。
【発明の詳細な説明】
【技術分野】
【０００１】
本発明は、ＣＤ（Conpact Disk）やＤＶＤ（Digital Versatile Disk）等の複数種類の記録ディスクに記録された情報を読み取り表示する映像表示装置に関する。
【背景技術】
【０００２】
ＣＤ、ＤＶＤ等の複数種類の記録ディスクに記録された情報を再生する場合、当然ながら様々なパターンの情報を再生する必要がある。ＤＶＤは、大容量のため映像情報及び音声情報が記録されているが、ＣＤの場合には、音楽ＣＤのように音声情報だけ記録されている場合がある。音声情報だけの場合には映像表示が行われないため、表示装置には何も表示されない。表示装置をこのように通常の状態のままにしておくことは余分な消費電力が生じることになる。
【０００３】
こうした問題点に対処するために、例えば特許文献１では、地図や映像等の画像が記録されたディスクを再生するときに画像が表示されＣＤを再生するときに曲に係る文字情報が表示される表示部を備えた携帯用ディスク再生装置において、ＣＤが再生されるときは次に再生される曲に係る文字情報を所定時間表示させた後に消灯させる制御手段を備えた点が記載されている。
【特許文献１】特開２００１−１６７５０１号公報
【発明の開示】
【発明が解決しようとする課題】
【０００４】
上述した特許文献１では、画面自体を消灯して消費電力の低減を図っているが、画面が消灯すると電源オフと同じ状態になるため操作者が電源オフと誤認して電源を切り忘れる場合がある。また、ＴＶ（Television）やＶＣＲ（Video Cassette Recorder ）等と一体化した複合電子機器では、ＣＤ再生中に文字表示以外の別の操作をする場合が考えられるが、そうした操作が行われても画面が消灯状態のままでは操作が正確に行われているが確認できない。
【０００５】
そこで、本発明は、画面自体を消灯することなく消費電力を低減することができるとともに電源の切り忘れを防止し、操作者が操作しやすい映像表示装置を提供することを目的とするものである。
【課題を解決するための手段】
【０００６】
本発明に係る映像表示装置は、複数種類の記録ディスクを読取可能な読取部と、前記読取部で読み取られた情報を再生する再生部と、映像を表示する表示部と、前記再生部で再生された情報を前記表示部に表示するように制御する制御部とを備えた映像表示装置において、前記制御部は、記録ディスクの種類を識別するディスク識別手段と、前記表示部の発光輝度の減少割合に関する設定データを記憶する記憶手段と、ディスク識別手段が特定の記録ディスクを識別した場合に前記記憶手段から前記設定データを読み出して前記表示部の発光輝度を通常状態よりも減少した待機状態に設定する表示制御手段とを備えていることを特徴とする。
【０００７】
さらに、前記制御部は、任意のキーが操作されたことを検知する検知手段を備え、前記表示制御手段は、前記表示部の発光輝度を待機状態に設定した後に前記検知手段が検知出力した場合に前記表示部の発光輝度を前記通常状態に戻すように制御することを特徴とする。
【０００８】
さらに、前記表示制御手段は、前記再生部の再生開始時から所定時間内に前記検知手段が検知出力しない場合に前記表示部の発光輝度を前記待機状態に設定するように制御することを特徴とする。
【０００９】
さらに、前記制御部は、前記再生部の再生終了時に前記表示部の発光輝度が待機状態である場合に装置全体の電源をオフ状態にする電源制御手段を備えていることを特徴とする。
【００１０】
さらに、前記設定データは、操作者が任意のデータを入力して設定されることを特徴とする。
【発明の効果】
【００１１】
上記のような構成を有することで、特定の記録ディスクが識別された場合には表示部の発光輝度に関する設定データに基づいて表示部の発光輝度を通常状態より減少した待機状態とするので、通常状態のままよりも消費電力は低減することができ、また消灯することがないので電源の切り忘れも防止できる。
【００１２】
さらに、任意のキーが操作されたことを検知する検知手段を備え、表示部が待機状態に設定された後に任意のキーが操作されると通常状態に戻すことで、操作者が操作するとすぐに表示画面が通常の明るい状態になるため操作がしやすくなる。
【００１３】
さらに、再生部からの再生開始時から所定時間内に検知出力がない場合に表示部の発光輝度を待機状態にすれば、操作者が操作する可能性の高い時間帯には通常状態が保たれるため操作する場合に表示画面が見にくくなるといった不都合を避けることができる。
【００１４】
さらに、再生部の再生終了時に表示部の発光輝度が待機状態のままである場合に電源オフすることで、操作者が電源オフしない場合でも自動的に電源がきれるため、無駄な消費電力を生じさせることがない。例えば、音楽ＣＤの場合に再生したまま就寝してしまう場合が想定されるが、こうした場合にも自動的に電源がオフ状態にされる。
【００１５】
さらに、表示部の発光輝度の減少割合に関する設定データを操作者が任意に設定できるようにすれば、操作者の好みに合った明るさに設定することができる。例えば、昼間に使用する場合は発光輝度を高めに設定したり、就寝時に使用する場合には発光輝度は低めに設定する−といったそれぞれの場合に応じて適宜設定することが可能となる。
【発明を実施するための最良の形態】
【００１６】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１７】
図１は、本発明に係る実施形態の全体ブロック図である。映像表示装置本体１は、全体制御に関する情報処理を行う制御部としての本体ＣＰＵ１０、記憶手段であるＲＡＭ１１及びＲＯＭ１２が設けられており、ＲＯＭ１２に記憶されたプログラムやＲＡＭ１１に記憶された様々な設定データ等を本体ＣＰＵ１０が読み出して制御を行う。
【００１８】
外部からのテレビジョン信号を受信するチューナ１３、映像を表示する表示部としてのモニタ１４、モニタ１４に内蔵された左右のスピーカ１５及び１６を有する。そして、チューナ１３からの出力信号は、クロマ信号処理回路１７で処理されて映像情報はモニタ１４に送信されて表示制御され、音声情報は本体ＣＰＵ１０から音声情報処理回路１８に送信されて左右のスピーカ１５、１６から音声出力される。また、本体ＣＰＵ１０には、操作情報入力部３０に受信されたリモコン３１の操作情報が入力されるようになっている。  図示されていないが、本体ＣＰＵ１０とクロマ信号処理回路１７との間では、I2CBUS制御によりクロック信号及びデータの送受信を行っている。表示画面の明るさ及びコントラストに関する設定データはＲＡＭ１１に記憶されており、本体ＣＰＵ１０は、必要に応じてＲＡＭ１１から設定データを読み出してクロマ信号処理回路１７に送信し表示画面の発光輝度が設定される。そして、設定データは明るさの程度に応じて数段階に設定可能となっており、例えば、省エネ設定に基づいて表示画面を暗くする場合にはそれに対応した段階の設定データをリモコン３１により入力してＲＡＭ１１に記憶しておき、本体ＣＰＵ１０がその変更された設定データをＲＡＭ１１から読み出してクロマ信号処理回路１７に送信し発光輝度が下げられる。
【００１９】
一方、装置本体１には、記録ディスク再生装置２が併設されており、ＣＤやＤＶＤ等の複数種類の記録ディスクを再生する。記録ディスク再生装置２は、再生制御に関する情報処理を行う制御部としての再生用ＣＰＵ２０、プログラム等を記憶するＲＯＭ２１及び設定データ等を記憶するＲＡＭ２２を有している。そして、図示しない回転制御装置により回転するディスク２３からピックアップ２４により記録された情報が読み取られ、ＭＰＥＧデコーダ２５により復号化される。復号化された情報はデジタル情報であるため、ビデオエンコーダ２６によりアナログ化されてクロマ信号処理回路１７及び音声情報処理回路１８に送信され、装置本体１のモニタ１４で映像表示されるとともに内蔵スピーカ１５及び１６で音声出力される。
【００２０】
また、チューナ１３に記録ディスク再生装置２側のビデオデコーダ２７を接続して、チューナ１３で受信されたアナログ信号をデジタル信号に変換した後ＭＰＥＧエンコーダ２８で圧縮した後ピックアップ２４によりディスク２３に記録処理することもできる。
【００２１】
ピックアップ２４は、例えばＤＶＤ用読取レーザ及びＣＤ用読取レーザを備えており、記録ディスクがセットされると該当する読取レーザが読取動作を行うようになる。したがって、再生用ＣＰＵ２０は、どの読取レーザが動作しているか検知してセットされた記録ディスクを識別することができる。また、ＤＶＤやＣＤといった記録ディスクには、記録領域の最内周領域にＴＯＣ（Table Of Content）情報というその記録ディスクに関する情報が記録されており、記録ディスクの再生開始時にまずＴＯＣ情報を読み出すことで、記録ディスクの種類を識別することができる。こうした記録ディスクの識別情報は再生用ＣＰＵ２０から本体ＣＰＵ１０に送信されてモニタの表示制御に用いられる。例えば、音楽情報のみを記録したＣＤがセットされたことが識別された場合には、本体ＣＰＵ１０は、モニタ１４に静止画面を表示すると共に音声情報をスピーカ１５及び１６から出力し、後述するように省エネ設定されていると、モニタ１４の発光輝度を下げて待機状態とすることで、消費電力を低減する。
【００２２】
記録ディスクの再生終了については、例えば読取レーザからの読取信号が出力されなくなってピックアップ２４の動作が停止し、待機状態になったことを再生用ＣＰＵ２０が本体ＣＰＵ１０に送信すればよい。本体ＣＰＵ１０は、記録ディスクの再生終了に応答して表示画面を待機状態から通常状態に戻すといった表示制御や自動的に装置の電源をＯＦＦするといった電源制御を行う。
【００２３】
操作者は、各種設定を行う場合には、設定画面をモニタ１４に表示しリモコン３１を操作して入力することができる。図２は、省エネ設定画面を示している。この設定画面では、省エネ設定をするか否かを項目１．のＯＮ又はＯＦＦを選択することで設定できる。そして、省エネ設定を行う場合、記録ディスク再生装置２に音楽情報を記録したＣＤがセットされた場合等にモニタ１４には静止画面が表示されるようになるが、こうした待機状態の場合にその発光輝度をどの程度減少させるかを設定することができる。項目２．の明るさの設定で減少割合を通常状態の百分率で入力する。この例では、通常状態に対して４０％の明るさにするように設定している。さらに、モニタ１４を待機状態に設定する場合に、キー操作が行われない時間がどの程度継続したら待機状態に設定するかその時間間隔を設定することもできる。項目３．にその時間間隔を分単位で入力する。この例では、キー操作が２分間行われないと待機状態に設定されるようになる。このように、キー操作の時間間隔を設定しておくことで、キー操作中に頻繁に表示画面が暗くなるといったわずらわしさがなくなる。
【００２４】
以上説明した実施形態の処理フローを図３を用いて説明する。記録ディスクの再生が開始されると、まず、どの種類の記録ディスクがセットされたかが再生用ＣＰＵ２０で識別される。そして、識別データが本体ＣＰＵ１０に送信されて動画情報の記録されていない記録ディスク−例えば音楽情報だけが記録されたＣＤかチェックされる（Ｓ１００）。音楽ＣＤでない場合にはモニタ１４の発光輝度は通常状態のまま表示処理がなされる（Ｓ１０８）。音楽ＣＤと識別された場合には、省エネ設定がＯＮされているかチェックされ（Ｓ１０１）、省エネ設定がＯＦＦとなっている場合には表示画面は通常状態のままとなるよう表示処理され（Ｓ１１２）、省エネ設定がＯＮの場合にはタイマーＴが動作開始する（Ｓ１０２）。
【００２５】
タイマーＴが動作開始後任意のキー入力がなされたかチェックする（Ｓ１０３）。そして、キー入力が検知されない場合タイマーＴのカウントが図２の省エネ設定画面で設定した時間間隔（Ｔｍ）を超えたか否かがチェックされ（Ｓ１０４）、超えた場合にはモニタ１４の表示画面を図２の省エネ設定画面の明るさ設定において設定された減少割合まで発光輝度を下げた待機状態とする（Ｓ１０５）。Ｓ１０４でタイマーＴのカウントが時間間隔（Ｔｍ）を超えていない場合にはＳ１０３に戻りキー入力の有無がチェックされ、キー入力が検知されると、タイマーＴが動作停止されて（Ｓ１１０）表示画面は通常状態のままとなるよう表示処理される（Ｓ１１１）。そして、Ｓ１０２に戻り、再度タイマーＴが動作開始する。
【００２６】
Ｓ１０５で待機状態に表示処理された後、タイマーＴの動作が停止されて（Ｓ１０６）任意のキー入力がなされたか否かチェックする（Ｓ１０７）。キー入力が検知された場合には、表示画面を通常状態に戻すように表示処理が行われて（Ｓ１１１）、Ｓ１０２に戻り、再度タイマーＴが動作開始する。キー入力が検知されない場合には、音楽ＣＤの再生終了を再生用ＣＰＵ２０が検知したかチェックし（Ｓ１０８）、再生終了が検知された場合には装置全体の電源をオフ状態にして（Ｓ１０９）終了する。したがって、省エネ設定で表示画面が待機状態になっているときに音楽ＣＤの再生が終了すると、自動的に電源がオフ状態となる。
【００２７】
以上の処理フローでは、再生終了後に自動的に電源オフ状態にしているが、表示画面を待機状態のままにしておいてもよい。また、再生終了後に表示画面を通常状態に戻すようにしてよく、操作者の使い勝手のよいやり方に設定できるようにすることも可能である。
【図面の簡単な説明】
【００２８】
【図１】本発明に係る実施形態に関する全体ブロック図である。
【図２】省エネ設定画面に関する説明図である。
【図３】本発明に係る実施形態の処理フロー図である。
【符号の説明】
【００２９】
１    表示装置本体
２    記録ディスク再生装置
10    本体ＣＰＵ
11    ＲＡＭ
12    ＲＯＭ
14    モニタ
17    クロマ信号処理回路
19    操作情報入力部
20    再生用ＣＰＵ
21    ＲＯＭ
22    ＲＡＭ
23    ディスク
24    ピックアップ
30    操作情報入力部
31    リモコン
【図１】
2005084215.tif 000003
【図２】
2005084215.tif 000004
【図３】
2005084215.tif 000005